(57)【要約】【課題】線画像の再現性を簡易に向上させる。【解決手段】画像処理装置は、ラスタライズ処理により画素ごとに階調値を有する画像を生成する画像生成部１６１と、前記画像の位置を画素単位で補正する位置補正部１６２と、を備え、画像生成部１６１は、前記ラスタライズ処理により生成する画像中の線画像を、前記ラスタライズ処理により生成可能な最小線幅の２倍以上の線幅で生成する。前記ラスタライズ処理により生成された画像の解像度は、前記位置補正部が補正する画像の解像度と同じである。【選択図】図２
2015120279.tif 000002
【特許請求の範囲】
【請求項１】
ラスタライズ処理により画素ごとに階調値を有する画像を生成する画像生成部と、
前記画像の位置を画素単位で補正する位置補正部と、を備え、
前記画像生成部は、前記ラスタライズ処理により生成する画像中の線画像を、前記ラスタライズ処理により生成可能な最小線幅の２倍以上の線幅で生成することを特徴とする画像処理装置。
【請求項２】
前記ラスタライズ処理により生成された画像の解像度は、前記位置補正部が補正する画像の解像度と同じであることを特徴とする請求項１に記載の画像処理装置。
【請求項３】
前記画像生成部は、前記最小線幅の２倍以上の線幅で生成する線画像の階調値を、当該線画像の元の階調値とすることを特徴とする請求項１又は２に記載の画像処理装置。
【請求項４】
前記画像生成部は、前記最小線幅の２倍以上の線幅で生成する線画像の一部又は全部の階調値を、中間調値とする請求項１又は２に記載の画像処理装置。
【請求項５】
前記画像生成部は、前記線画像の線幅方向における中間調値の合計が、当該線画像の元の線幅の線幅方向における階調値の合計と一致するように、前記中間調値を調整する請求項４に記載の画像処理装置。
【請求項６】
前記画像生成部は、前記中間調値を、前記線画像の傾斜角度に応じて異ならせることを特徴とする請求項４に記載の画像処理装置。
【請求項７】
前記画像生成部は、前記最小線幅の２倍以上の線幅で生成する線画像の対象を、階調値が最大値である線画像とすることを特徴とする請求項１〜６のいずれか一項に記載の画像処理装置。
【請求項８】
請求項１〜７のいずれか一項に記載の画像処理装置を備えることを特徴とする画像形成装置。
【請求項９】
ラスタライズ処理により画素ごとに階調値を有する画像を生成する画像生成方法であって、
前記画像の位置が画素単位で補正される場合、前記ラスタライズ処理により生成する画像中の線画像を、前記ラスタライズ処理により生成可能な最小線幅の２倍以上の線幅で生成することを特徴とする画像生成方法。
【発明の詳細な説明】
【技術分野】
【０００１】
本発明は、画像処理装置、画像形成装置及び画像生成方法に関する。
【背景技術】
【０００２】
画像形成装置では、定着処理された用紙が収縮し、用紙の両面に形成される画像の位置ずれが生じることがある。また、光学系の歪み等により画像が傾斜し、スキュー、ボウ等と呼ばれる画像の位置ずれが生じることもある。
このような位置ずれに対しては、画像に画素を追加又は削除する位置補正か（例えば、特許文献１参照）、画像を画素単位でシフトする位置補正が行われている。
【０００３】
画像中に線画像が含まれている場合、位置補正が行われると、１画素幅のような線幅が小さい線画像が途切れて、線画像の再現性が低下することがある。
従来、細線化による線画像の途切れを防ぐため、解像度が低い画像をより高解像度の画像に変換する方法が知られている（例えば、特許文献２参照）。この方法と同様にして通常よりも高解像度の画像を生成した後に位置補正を行うか、又は画像を生成後、画像の解像度をより高解像度に変換し、さらにスムージング処理して線幅を太らせた後、位置補正を行うことにより、線画像の途切れを防ぐことができる。
【先行技術文献】
【特許文献】
【０００４】
【特許文献１】特開２００１−５２４５号公報
【特許文献２】特開２００９−２１１３７６号公報
【発明の概要】
【発明が解決しようとする課題】
【０００５】
しかしながら、上記の方法によれば、線画像の途切れを防ぐために解像度変換等が必要であり、処理する画像のデータ量も増える。処理工程が増え、演算資源や大容量のメモリー資源が必要となるため、コスト高である。
【０００６】
本発明の課題は、線画像の再現性を簡易に向上させることである。
【課題を解決するための手段】
【０００７】
請求項１に記載の発明によれば、
ラスタライズ処理により画素ごとに階調値を有する画像を生成する画像生成部と、
前記画像の位置を画素単位で補正する位置補正部と、を備え、
前記画像生成部は、前記ラスタライズ処理により生成する画像中の線画像を、前記ラスタライズ処理により生成可能な最小線幅の２倍以上の線幅で生成することを特徴とする画像処理装置が提供される。
【０００８】
請求項２に記載の発明によれば、
前記ラスタライズ処理により生成された画像の解像度は、前記位置補正部が補正する画像の解像度と同じであることを特徴とする請求項１に記載の画像処理装置が提供される。
【０００９】
請求項３に記載の発明によれば、
前記画像生成部は、前記最小線幅の２倍以上の線幅で生成する線画像の階調値を、当該線画像の元の階調値とすることを特徴とする請求項１又は２に記載の画像処理装置が提供される。
【００１０】
請求項４に記載の発明によれば、
前記画像生成部は、前記最小線幅の２倍以上の線幅で生成する線画像の一部又は全部の階調値を、中間調値とする請求項１又は２に記載の画像処理装置が提供される。
【００１１】
請求項５に記載の発明によれば、
前記画像生成部は、前記線画像の線幅方向における中間調値の合計が、当該線画像の元の線幅の線幅方向における階調値の合計と一致するように、前記中間調値を調整する請求項４に記載の画像処理装置が提供される。
【００１２】
請求項６に記載の発明によれば、
前記画像生成部は、前記中間調値を、前記線画像の傾斜角度に応じて異ならせることを特徴とする請求項４に記載の画像処理装置が提供される。
【００１３】
請求項７に記載の発明によれば、
前記画像生成部は、前記最小線幅の２倍以上の線幅で生成する線画像の対象を、階調値が最大値である線画像とすることを特徴とする請求項１〜６のいずれか一項に記載の画像処理装置が提供される。
【００１４】
請求項８に記載の発明によれば、
請求項１〜７のいずれか一項に記載の画像処理装置を備えることを特徴とする画像形成装置が提供される。
【００１５】
請求項９に記載の発明によれば、
ラスタライズ処理により画素ごとに階調値を有する画像を生成する画像生成方法であって、
前記画像の位置が画素単位で補正される場合、前記ラスタライズ処理により生成する画像中の線画像を、前記ラスタライズ処理により生成可能な最小線幅の２倍以上の線幅で生成することを特徴とする画像生成方法が提供される。
【発明の効果】
【００１６】
本発明によれば、位置補正が行われても途切れが生じない線画像を生成することができる。解像度変換、スムージング処理等を行うことなく、線画像の途切れを防止することができ、線画像の再現性を簡易に向上させることができる。
【図面の簡単な説明】
【００１７】
【図１】本実施の形態の画像形成装置の構成を表す機能ブロック図である。
【図２】図１の画像処理装置の構成を表す機能ブロック図である。
【図３】画像に画素を挿入する位置補正の例を示す図である。
【図４】画像をシフトする位置補正の例を示す図である。
【図５】画像のシフトにより途切れが生じた線画像を示す図である。
【図６】１画素の挿入により途切れが生じた線画像を示す図である。
【図７】最小線幅の２倍以上の線幅で生成された線画像のシフト前後を示す図である。
【図８】最小線幅の２倍以上の線幅で生成された線画像の１画素挿入の前後を示す図である。
【図９】線画像の全部を中間調値として生成された線画像のシフト前後を示す図である。
【図１０】線画像の一部を中間調値として生成された線画像のシフト前後を示す図である。
【図１１】線画像の傾斜角度に応じて中間調値を異ならせて生成された線画像のシフト前後を示す図である。
【図１２】線画像の途切れを防止する従来の方法によって生成された線画像を示す図である。
【発明を実施するための形態】
【００１８】
以下、本発明の画像処理装置、画像形成装置及び画像生成方法の実施の形態について、図面を参照して説明する。
【００１９】
図１は、本実施の形態に係る画像形成装置Ｇの構成を機能ごとに表す機能ブロック図である。
画像形成装置Ｇは、図１に示すように、制御部１１、記憶部１２、操作部１３、表示部１４、通信部１５、画像処理装置１６及び画像形成部１７を備えている。
【００２０】
制御部１１は、ＣＰＵ（Central Processing Unit）、ＲＡＭ（Random Access Memory）等を備えている。制御部１１は、記憶部１２に記憶されているプログラムを読み出し、当該プログラムに従って画像形成装置Ｇの各部を制御する。
例えば、制御部１１は、画像処理装置１６により画素ごとに階調値を有するビットマップ形式の画像を生成させて、当該ビットマップ形式の画像に基づいて、画像形成部１７により用紙上にトナーで画像を形成させる。
【００２１】
記憶部１２は、制御部１１が読み取り可能なプログラム、ファイル等を記憶している。
記憶部１２としては、ハードディスク、ＲＯＭ（Read Only Memory）等の記憶媒体を用いることができる。
【００２２】
操作部１３は、操作キー、表示部１４と一体に構成されたタッチパネル等を備え、これらの操作に応じた操作信号を制御部１１に出力する。ユーザーは、操作部１３により、ジョブの設定、処理内容の変更等の入力操作を行うことができる。
表示部１４は、ＬＣＤ（Liquid Crystal Display）等であることができ、制御部１１の指示に従って操作画面等を表示する。
通信部１５は、制御部１１の指示に従い、ネットワーク上のコンピューター、例えばユーザー端末、サーバー、他の画像形成装置等と通信する。通信部１５は、例えばユーザー端末から送信されたＰＤＬ（Page Description Language）データを受信する。
【００２３】
画像処理装置１６は、図２に示すように、画像生成部１６１、位置補正部１６２及び中間調処理部１６３を備えている。
【００２４】
画像生成部１６１は、通信部１５が受信したＰＤＬデータをラスタライズ処理して、画素ごとに階調値を有するビットマップ形式の画像を、Ｃ（シアン）、Ｍ（マジェンタ）、Ｙ（イエロー）及びＫ（黒）の色ごとに生成する。
階調値は、１画素が８ｂｉｔのデータであれば、０〜２５５の値域に対する割合（％）として表され、例えば１２８の階調値は５０％（５０＝１２８／２５６）と表される。
【００２５】
位置補正部１６２は、画像生成部１６１から入力されたＣ、Ｍ、Ｙ及びＫの各色の画像の位置を画素単位で補正する。位置補正の必要が無い場合、位置補正部１６２は、位置補正を行わずに、入力された画像を中間調処理部１６３へ出力する。
位置補正部１６２は、位置ずれの種類によって、画像に対して画素を挿入又は削除する位置補正か、画像をシフトする位置補正を行う。
【００２６】
例えば、用紙の両面に形成される画像の位置ずれ等に対しては、位置補正部１６２は、一定領域ごとに１画素を挿入又は削除して、画像をわずかに拡大又は縮小することにより、画像の位置を補正する。
図３は、一定領域ごとに１画素を挿入して、副走査方向ｙに拡大された画像を示している。
【００２７】
位置補正部１６２は、画素の挿入又は削除による画像の劣化を抑えるため、画素の挿入位置又は削除位置を一定領域ごとに異ならせることが好ましい。
図３において、斜線部分は一定領域ごとに異なる１画素の挿入位置を示している。
画像の劣化をさらに抑えるため、位置補正部１６２は、一定領域内でも主走査方向ｘの位置によって各画素の挿入位置を異ならせて、分散させることもできる。
【００２８】
スキュー、ボウ等の画像の傾斜による位置ずれ等に対しては、位置補正部１６２は、一定領域ごとに１画素単位で画像をシフトすることにより、傾斜する画像の位置を補正する。
図４は、ボウにより点線で示すように位置がずれる画像を、一定領域ごとに矢印で示す方向にシフトすることにより、補正された画像を示している。
【００２９】
中間調処理部１６３は、位置補正部１６２から入力された各色Ｃ、Ｍ、Ｙ及びＫのビットマップ形式の画像に中間調処理を施す。中間調処理が施された画像は、画像形成部１７へ出力される。
中間調処理は、例えば誤差拡散処理、ディザマトリクスを用いたスクリーン処理等である。
【００３０】
画像形成部１７は、画像処理装置１６から入力された各色Ｃ、Ｍ、Ｙ及びＫのビットマップ形式の画像に基づいて、用紙上にトナーで画像を形成する。
具体的には、画像形成部１７は、Ｃ、Ｍ、Ｙ及びＫの色ごとに設けられた露光部、感光体、現像部等の他、転写体、定着装置等を備えている。
画像形成部１７は、露光部により、各画素の階調値に応じて変調されたレーザービームを、帯電する感光体上に照射し、当該感光体上に静電潜像を形成する。画像形成部１７は、現像部により感光体上に各色のトナーを供給して現像する。画像形成部１７は、トナーにより各感光体上に形成された各色の画像を転写体上に重ねて転写し、当該転写体から用紙上に画像を転写する。画像形成部１７は、画像が転写された用紙を、定着装置により加熱及び加圧して定着処理する。
【００３１】
次に、上記画像処理装置１６の処理内容を説明する。
上記画像処理装置１６において、画像生成部１６１により生成された画像の位置を、位置補正部１６２によって補正すると、当該画像中の線画像に途切れが生じ、線画像の再現性が低下する場合がある。途切れは、線幅が小さいほど生じやすく、線画像の階調値が最大値に近いほど途切れが目立ちやすい。
【００３２】
画像処理装置１６は、線画像の再現性を向上させるため、位置補正部１６２によって画像の位置が画素単位で補正される場合、画像生成部１６１により、ラスタライズ処理において生成する画像中の線画像を、ラスタライズ処理により生成可能な最小線幅の２倍以上の線幅で生成する。
ラスタライズ処理により生成された画像は、解像度変換されることなく、位置補正部１６２により位置補正されるため、ラスタライズ処理により生成された画像の解像度は、位置補正部１６２が補正する画像の解像度と同じである。
【００３３】
例えば、解像度が６００ｄｐｉ（dot per inch）の線画像を生成する場合、画像生成部１６１が生成可能な最小線幅は、６００ｄｐｉの解像度における１画素のサイズと同じ４２μｍである。よって、画像生成部１６１は、線画像の生成時、少なくとも最小線幅の２倍である８４μｍの線幅で線画像を生成する。
【００３４】
画像生成部１６１は、この線画像の線幅調整を、ベクトル形式のＰＤＬデータ、ＰＤＬデータを解析して得られたディスプレイリスト等において、線画像の線幅を最小線幅の２倍以上に書き換えることによって行うことができる。
また、画像生成部１６１は、ディスプレイリストに基づいて各画素の階調値を決定する際に、線画像については最小線幅の２倍の線幅となるように各画素の階調値を決定することによっても、線画像の線幅調整を行うことができる。
【００３５】
図５は、従来のラスタライズ処理により、線幅が４２μｍ、主走査方向ｘに対する傾斜角度が３０°の斜線が６００dpiの解像度で描画され、生成された線画像１０１を示している。線画像１０１は、線幅が１画素幅であり、階調値が最大値１００％である。
この線画像１０１に対し、位置Ｐ１−Ｐ１において副走査方向ｙへ１画素シフトする位置補正を行うと、線画像１０２が得られる。線画像１０２は、図５に示すように、シフトによって途切れ、線形状を維持できていない。
【００３６】
画素を挿入又は削除する位置補正の場合も、従来のラスタライズ処理によれば、線画像の途切れが生じ得る。
例えば、上記線画像１０１に対し、図６に示すように、５×８画素の領域ごとに異なる位置Ｐ２及びＰ３でそれぞれ１画素を挿入し、副走査方向ｙに拡大すると、線画像１０３が得られる。線画像１０３は、画素の挿入によって途切れ、線形状を維持できていない。
【００３７】
一方、図７は、上記線画像１０１と同じＰＤＬデータを、画像生成部１６１がラスタライズ処理することによって、最小線幅の２倍の線幅で生成された線画像２０１を示している。
図７に示すように、線画像２０１の線幅は、線画像１０１の２倍の２画素幅である。
この線画像２０１を、位置Ｐ１−Ｐ１において副走査方向ｙに１画素シフトすると線画像２０２が得られるが、線画像２０２は途切れが無い。
また、線画像２０１に、図８に示すように、挿入位置Ｐ２及びＰ３において１画素ずつ挿入する位置補正が行われた場合も、途切れの無い線画像２０３が得られる。
【００３８】
このように、画像生成部１６１のラスタライズ処理によれば、位置補正によっても途切れが無い線画像を生成することができる。線形状を維持できず、途切れが生じる線画像１０１に比較して線画像の再現性が高い。
【００３９】
なお、位置補正部１６２による位置補正が行われない場合、位置補正による途切れが生じないため、画像生成部１６１は、従来のラスタライズ処理と同様にして、線画像１０１を生成することができる。これにより、元の線画像と同じ線画像を生成することができ、線画像の再現性を向上させることができる。
【００４０】
画像生成部１６１は、最小線幅の２倍以上の線幅で生成する線画像の階調値を、当該線画像の元の階調値とすることもできるし、線画像の一部又は全部の階調値を中間調値とすることもできる。中間調値は、最小値０％と最大値１００％の中間の階調値をいう。
中間調値を用いることにより、線形状だけでなく、線画像の濃度も維持することができ、線画像の再現性を向上させることができる。また、中間調値により、線画像のエッジを滑らかに再現することも可能であり、スムージング処理と同様の効果が得られる。スムージング処理は、線、文字等の画像のエッジに生じるジャギーを軽減するため、当該エッジから背景へと階調値が段階的に変化するように階調値を調整する処理であり、アンチエイリアシングとも呼ばれている。
【００４１】
線画像に中間調値を用いる場合、画像生成部１６１は、線画像の線幅方向における中間調値の合計が、当該線画像の元の線幅の線幅方向における階調値の合計と一致するように、中間調値を調整することが好ましい。
これにより、生成された画像の線幅が元の線幅の２倍以上となった場合でも、元の線画像と同一の濃度を再現することができ、線画像の再現性を向上させることができる。
【００４２】
例えば、画像生成部１６１は、上記線画像１０１と同じＰＤＬデータをラスタライズ処理し、図９に示すように、最小線幅の２倍の線幅である２画素幅の線画像２０４を生成し、当該線画像２０４の線画像の全部の階調値を５０％の中間調値とすることができる。
図９に示すように、線画像２０４を位置Ｐ１−Ｐ１でシフトしても、得られた線画像２０５の途切れは無い。また、線画像２０４は、線幅方向の階調値の合計が１００％であり、元の線幅、つまり線画像１０１の線幅の線幅方向の階調値の合計である１００％と一致する。線形状だけでなく、濃度も維持することができ、線画像の再現性を向上させることができる。
【００４３】
また、画像生成部１６１は、上記線画像１０１と同じＰＤＬデータをラスタライズ処理し、図１０に示すように、最小線幅の３倍の線幅である３画素幅の線画像２０６を生成し、当該線画像２０６の一部であるエッジの階調値を５０％の中間調値とすることもできる。
図１０に示すように、線画像２０６は、線幅が最小線幅の３倍であるため、線画像２０６を位置Ｐ１−Ｐ１においてシフトして得られた線画像２０７は、直線部分の連結が保たれており、線形状を十分に維持できている。図７に示す線画像２０１と比べて、線画像２０６は線幅が太いが、線幅方向における階調値の合計が線画像２０１と同じ２００％であり、再現される濃度は変わらない。
【００４４】
画像生成部１６１は、線画像の一部の中間調値を、線画像の傾斜角度に応じて異ならせることもできる。
これにより、スムージング処理と同様に、線画像のエッジを滑らかに再現することが可能となる。
【００４５】
例えば、画像生成部１６１は、上記線画像１０１と同じＰＤＬデータから、図１１に示すように、最小線幅の３倍の線幅である線画像２０８を生成し、当該線画像２０８のエッジの階調値を中間調値とする。線画像２０８の傾斜角度は３０°である。３０°の傾斜角度の斜線に各画素を割り当てた場合、各画素の面積に対し斜線のエッジが占める面積の割合は、それぞれ１／６、３／６及び５／６と変化する。よって、画像生成部１６１は、傾斜角度３０°に応じて、主走査方向ｘの位置がずれるごとに、エッジの各中間調値を１７％（１６％≒１００％×１／６）、５０％（５０％＝１００％×３／６）、８３％（８３％≒１００％×５／６）と異ならせる。
線画像２０８を位置Ｐ１−Ｐ１でシフトしても、得られた線画像２０９は直線部分の連結が保たれており、線形状を十分に維持できている。また、線画像のエッジが滑らかに再現されている。
【００４６】
画像生成部１６１は、上述した最小線幅の２倍以上の線幅で生成する線画像の対象を、階調値が最大値である線画像とすることができる。
階調値が最大値であり、途切れが目立ちやすい線画像の再現性を向上させることができる。
【００４７】
従来は、位置補正による線画像の途切れを防止するためには、線画像を高解像度化する必要があった。
図１２は、従来の途切れを防止する方法によって生成される画像を示している。
従来の方法によれば、図１２に示すように、ラスタライズ処理によって、６００ｄｐｉで１画素幅の線画像３０１を生成し、当該線画像３０１の解像度をその４倍の解像度である２４００ｄｐｉに変換して、線画像３０２を得る。この状態では、位置補正によって途切れが生じるため、さらにスムージング処理を行い、線画像３０２から線画像３０３を得る。
【００４８】
線画像３０３は、直線部分の線幅が線画像３０１と同じ線幅であるが、スムージング処理によって直線部分と直線部分の連結部分において線幅が太くなっている。また、高解像度化され、位置補正によるシフト量が６００ｄｐｉの場合の１／２と小さくなる。そのため、線画像３０３に対し、位置Ｐ１−Ｐ１で副走査方向ｙに１画素シフトする位置補正が行われると、途切れの無い線画像３０４が得られる。
【００４９】
しかし、このような従来の方法によれば、得られた線画像３０３のデータ量が、線画像３０１の４倍になる。また、線画像３０３を得るために解像度変換及びスムージング処理が必要であり、処理工程が増える。大容量のメモリー資源、演算資源等が必要となり、コストが上昇する。
これに対し、本実施の形態に係る画像生成部１６１によれば、高解像度化することなく、画像の途切れを防止することができ、線形状を維持して線画像の再現性を向上させることができる。
【００５０】
以上のように、本実施の形態の画像処理装置１６は、ラスタライズ処理により画素ごとに階調値を有する画像を生成する画像生成部１６１と、画像の位置を画素単位で補正する位置補正部１６２と、を備えている。画像生成部１６１は、ラスタライズ処理により生成する画像中の線画像を、ラスタライズ処理により生成可能な最小線幅の２倍以上の線幅で生成する。
【００５１】
これにより、位置補正が行われても途切れが生じない線画像を生成することができる。解像度変換、スムージング処理等を行うことなく、線画像の途切れを防止することができ、線画像の再現性を簡易に向上させることができる。
【００５２】
上記実施の形態は本発明の好適な一例であり、これに限定されない。本発明の主旨を逸脱しない範囲で適宜変更可能である。
例えば、画像生成部１６１により最小線幅の２倍以上の線幅で線画像を生成するか否かをユーザーにより選択させてもよい。
この場合、位置補正部１６２による位置補正によって線画像の再現性が低下することを通知するメッセージを表示部１３により表示する等して、ユーザーに警告してもよい。同様にして、最小線幅の２倍以上の線幅で線画像を生成することを選択するように、ユーザーに促してもよい。
【００５３】
また、ラスタライズ処理により画像を生成し、当該画像の位置を補正するのであれば、画像形成装置Ｇだけでなく、ＰＣ、サーバー等の情報処理装置が、上記画像処理装置１６を備えることもできる。
【００５４】
また、制御部１１が、上述した画像生成部１６１の処理手順を制御部１１に実行させるためのプログラムを読み込むことにより、画像生成部１６１と同様の処理内容を実現することとしてもよい。当該プログラムのコンピューター読み取り可能な媒体としては、ＲＯＭ、フラッシュメモリー等の不揮発性メモリー、ＣＤ-ＲＯＭ等の可搬型記録媒体を適用することが可能である。また、当該プログラムのデータを、通信回線を介して提供する媒体として、キャリアウエーブ(搬送波)も適用される。
【符号の説明】
【００５５】
Ｇ    画像形成装置
１１    制御部
１２    記憶部
１６    画像処理装置
１６１    画像生成部
１６２    位置補正部
１６３    中間調処理部
１７    画像形成部
【図１】
2015120279.tif 000003
【図２】
2015120279.tif 000004
【図３】
2015120279.tif 000005
【図４】
2015120279.tif 000006
【図５】
2015120279.tif 000007
【図６】
2015120279.tif 000008
【図７】
2015120279.tif 000009
【図８】
2015120279.tif 000010
【図９】
2015120279.tif 000011
【図１０】
2015120279.tif 000012
【図１１】
2015120279.tif 000013
【図１２】
2015120279.tif 000014